(57)【特許請求の範囲】
【請求項１】
ＵＳＢ３．０規格に従ったＵＳＢ３．０プラグ、ＵＳＢ２．０規格に従ったＵＳＢ２．０プラグ、及び、前記ＵＳＢ３．０プラグを変形して構成され且つ特殊シェルを有する特殊プラグの３種のプラグのいずれとも所定方向に沿って嵌合可能な特殊レセプタクルであって、
前記特殊レセプタクルは、ＵＳＢ３．０規格に従った複数の第１コンタクトと、ＵＳＢ２．０規格に従った複数の第２コンタクトと、前記特殊レセプタクルに対して前記特殊プラグが嵌合されたのか否かを検知するための検知ピンと、前記第１コンタクト及び前記第２コンタクト並びに前記検知ピンを保持する保持部材と、前記保持部材に取り付けられたシェルとを備えており、
前記検知ピンは、前記特殊レセプタクルと前記特殊プラグとの嵌合状態において前記特殊シェルと接触する接触部を有し、前記特殊シェルと前記接触部との接触により前記特殊プラグが前記特殊レセプタクルに嵌合したことを検知するものであり、
前記特殊レセプタクルは、ＵＳＢ３．０規格に従ったＵＳＢ３．０レセプタクルに前記ＵＳＢ２．０プラグを嵌合した際に前記ＵＳＢ３．０レセプタクル内にある前記ＵＳＢ２．０プラグが到達しないスペースに対応する所定スペースを、前記特殊レセプタクルの内部に有しており、
前記接触部は、前記所定スペース内に配置されている
特殊レセプタクル。
【請求項２】
請求項１記載の特殊レセプタクルであって、
前記保持部材は、一体形成されており、
前記第１コンタクト、前記第２コンタクト及び前記検知ピンは前記保持部材に圧入され又はインサート成型されている
特殊レセプタクル。
【請求項３】
請求項１記載の特殊レセプタクルであって、
前記保持部材は、２つ以上の部材から構成されている
特殊レセプタクル。
【請求項４】
請求項３記載の特殊レセプタクルであって、
前記保持部材は、前記部材として第１部材及び第２部材の２つのみを備えており、
前記第１コンタクトは、前記第１部材に圧入され又はインサート成型されており、
前記第２コンタクトは、前記第２部材に圧入され又はインサート成型されている
特殊レセプタクル。
【請求項５】
請求項４記載の特殊レセプタクルであって、
前記検知ピンは、前記第２部材に圧入され又はインサート成型されている
特殊レセプタクル。
【請求項６】
請求項３記載の特殊レセプタクルであって、
前記保持部材は、前記部材として、前記第１コンタクト及び前記第２コンタクトを保持するコンタクト保持部材と、前記検知ピンを保持するピン保持部材とを備えており、
前記検知ピンは、前記ピン保持部材に圧入され又はインサート成型されている
特殊レセプタクル。
【請求項７】
請求項１乃至請求項６のいずれかに記載の特殊レセプタクルであって、
前記第１コンタクトは、第１接点部を有しており、
前記第２コンタクトは、第２接点部を有しており、
前記保持部材は、前記所定方向において前方に延びる板状部と、前記所定方向と直交する垂直方向において前記板状部から離れた位置に位置すると共に前記所定方向に延びるアーム部とを有しており
前記板状部は、上面及び下面を有しており、
前記第１接点部及び前記第２接点部は、前記上面又は前記下面のいずれか一方上に位置しており、
前記検知ピンは、前記アーム部に保持されている
特殊レセプタクル。
【請求項８】
請求項７記載の特殊レセプタクルであって、
前記検知ピンは、前記接触部に加えて、前記アーム部に固定された被固定部と、前記所定方向において前記前方の反対方向である後方に向かって前記被固定部から延びる弾性変形可能な支持部とを有しており、
前記接触部は、前記支持部に支持されている
特殊レセプタクル。
【請求項９】
請求項８記載の特殊レセプタクルであって、
前記シェルは、前記所定方向と直交する垂直面内において前記板状部を囲う主部を有しており、
前記アーム部は、前記垂直面内において前記主部の外側に位置しており、
前記被固定部と前記支持部とは、前記垂直面内において前記主部の外側に位置しており、
前記接触部は、前記垂直面内において前記主部の内側に突出している
特殊レセプタクル。
【請求項１０】
請求項９記載の特殊レセプタクルであって、
前記アーム部には、前記支持部に対応する溝部が形成されており、
前記支持部は前記溝部内において弾性変形可能となっている
特殊レセプタクル。
【請求項１１】
請求項７乃至請求項１０のいずれかに記載の特殊レセプタクルであって、
前記第１接点部及び前記第２接点部は、前記板状部の前記上面に配されており、
前記検知ピンの前記接触部は、前記板状部の下方に位置しており、上方に向けて突出している
特殊レセプタクル。
【請求項１２】
ＵＳＢ３．０規格に従ったＵＳＢ３．０プラグ、ＵＳＢ２．０規格に従ったＵＳＢ２．０プラグ、及び、前記ＵＳＢ３．０プラグ又は前記ＵＳＢ２．０プラグを変形して構成され且つ特殊シェルを有する特殊プラグの３種のプラグのいずれとも所定方向に沿って嵌合可能な特殊レセプタクルであって、
前記特殊レセプタクルは、複数のコンタクトと、前記特殊レセプタクルに対して前記特殊プラグが嵌合されたのか否かを検知するための検知ピンと、前記コンタクト及び前記検知ピンを保持する保持部材と、前記保持部材に取り付けられたシェルとを備えており、
前記検知ピンは、前記特殊レセプタクルと前記特殊プラグとの嵌合状態において前記特殊シェルと接触する接触部を有し、前記特殊シェルと前記接触部との接触により前記特殊プラグが前記特殊レセプタクルに嵌合したことを検知するものであり、
前記特殊レセプタクルは、ＵＳＢ３．０規格に従ったＵＳＢ３．０レセプタクルに前記ＵＳＢ２．０プラグを嵌合した際に前記ＵＳＢ３．０レセプタクル内にある前記ＵＳＢ２．０プラグが到達しないスペースに対応する所定スペースを、前記特殊レセプタクルの内部に有しており、
前記接触部は、前記所定スペース内に配置されている
特殊レセプタクル。
【請求項１３】
請求項１２記載の特殊レセプタクルであって、
前記保持部材は、一体形成されており、
前記コンタクト及び前記検知ピンは前記保持部材に圧入され又はインサート成型されている
特殊レセプタクル。
【請求項１４】
請求項１２記載の特殊レセプタクルであって、
前記保持部材は、２つ以上の部材から構成されている
特殊レセプタクル。
【請求項１５】
請求項１４記載の特殊レセプタクルであって、
前記保持部材は、前記部材として第１部材及び第２部材の２つのみを備えており、
前記コンタクトは、前記第１部材に圧入され又はインサート成型されている
特殊レセプタクル。
【請求項１６】
請求項１５記載の特殊レセプタクルであって、
前記検知ピンは、前記第２部材に圧入され又はインサート成型されている
特殊レセプタクル。
【請求項１７】
請求項１２乃至請求項１６のいずれかに記載の特殊レセプタクルであって、
前記コンタクトは、接点部を有しており、
前記保持部材は、前記所定方向において前方に延びる板状部と、前記所定方向と直交する垂直方向において前記板状部から離れた位置に位置すると共に前記所定方向に延びるアーム部とを有しており
前記板状部は、上面及び下面を有しており、
前記接点部は、前記上面又は前記下面のいずれか一方上に位置しており、
前記検知ピンは、前記アーム部に保持されている
特殊レセプタクル。
【請求項１８】
請求項１７記載の特殊レセプタクルであって、
前記検知ピンは、前記接触部に加えて、前記アーム部に固定された被固定部と、前記所定方向において前記前方の反対方向である後方に向かって前記被固定部から延びる弾性変形可能な支持部とを有しており、
前記接触部は、前記支持部に支持されている
特殊レセプタクル。
【請求項１９】
請求項１８記載の特殊レセプタクルであって、
前記シェルは、前記所定方向と直交する垂直面内において前記板状部を囲う主部を有しており、
前記アーム部は、前記垂直面内において前記主部の外側に位置しており、
前記被固定部と前記支持部とは、前記垂直面内において前記主部の外側に位置しており、
前記接触部は、前記垂直面内において前記主部の内側に突出している
特殊レセプタクル。
【請求項２０】
請求項１９記載の特殊レセプタクルであって、
前記アーム部には、前記支持部に対応する溝部が形成されており、
前記支持部は前記溝部内において弾性変形可能となっている
特殊レセプタクル。
【請求項２１】
請求項１７乃至請求項２０のいずれかに記載の特殊レセプタクルであって、
前記接点部は、前記板状部の前記上面に配されており、
前記検知ピンの前記接触部は、前記板状部の下方に位置しており、上方に向けて突出している
特殊レセプタクル。
【請求項２２】
請求項１乃至請求項２１のいずれかに記載の特殊レセプタクルであって、
前記検知ピンの本数は２本である
特殊レセプタクル。
【請求項２３】
請求項１乃至請求項２２のいずれかに記載の特殊レセプタクルであって、
前記検知ピンは、Ａｕメッキされている
特殊レセプタクル。
【請求項２４】
請求項１乃至請求項２３のいずれかに記載の特殊レセプタクルであって、
前記検知ピンと前記シェルとは互いに直接接触しないように設けられている
特殊レセプタクル。
【請求項２５】
請求項１乃至請求項２４のいずれかに記載の特殊レセプタクルであって、
前記３種のプラグのいずれかが嵌合したときに、前記プラグが挿入されたことを検知するプラグ検知ピンを更に有している
特殊レセプタクル。
【請求項２６】
請求項１乃至請求項２５のいずれかに記載の特殊レセプタクルと嵌合可能な特殊プラグであって、
前記特殊シェルは、前記特殊レセプタクルに前記特殊プラグを嵌合した際に前記特殊シェルが前記所定スペース内に納まるように、構成されている
特殊プラグ。
【請求項２７】
請求項２６記載の特殊プラグであって、
前記特殊プラグの保持部材の端面は、前記特殊シェルの端面と同一位置または奥側に位置している
特殊プラグ。
【請求項２８】
請求項２６又は請求項２７記載の特殊プラグであって、
前記特殊シェルは、Ａｕメッキされている
特殊プラグ。
【発明の詳細な説明】
【技術分野】
【０００１】
本発明は、ＵＳＢ３．０規格に従ったＵＳＢ３．０プラグ、ＵＳＢ２．０規格に従ったＵＳＢ２．０プラグ及び特殊プラグのいずれのプラグとも嵌合可能な特殊レセプタクルであって、嵌合されたプラグが特殊プラグであるか否かを検知するための検知ピンを備える特殊レセプタクルに関する。
【背景技術】
【０００２】
ＵＳＢ（Universal Serial Bus）規格に基づいたＵＳＢレセプタクルとＵＳＢプラグとの接続状態を判別するためのスイッチをＵＳＢレセプタクルに設けたものとしては、例えば、特許文献１に開示されたものがある。
【０００３】
また、ＵＳＢコネクタに関するものではないが、相手側コネクタのタイプを検出できるコネクタとしては、特許文献２に開示されたものがある。
【先行技術文献】
【特許文献】
【０００４】
【特許文献１】特開２００５−２４２４７６号公報
【特許文献２】特開２００９−１６４０８７号公報
【発明の概要】
【発明が解決しようとする課題】
【０００５】
例えば、ＵＳＢ２．０やＵＳＢ３．０などの既存の規格に基づいた標準的なＵＳＢプラグには従来と同じ電流を供給する一方で、それを変形して構成された特殊プラグには大きな電流を供給したいという要求がある。
【０００６】
更に、既存のＵＳＢ２．０やＵＳＢ３．０に従った標準的なＵＳＢレセプタクルに対しても特殊プラグを接続可能としたいという要求もある。即ち、特殊プラグが特殊レセプタクルのみにしか接続できないという事態を避けたいという要求もある。
【０００７】
そこで、本発明は、ＵＳＢ２．０やＵＳＢ３．０に従った標準的なＵＳＢレセプタクルに対しても接続可能となるような構造の特殊プラグを検知可能な特殊レセプタクルを提供することを目的とする。
【０００８】
また、本発明は、上記特殊レセプタクルと嵌合可能な特殊プラグを提供することを目的とする。
【課題を解決するための手段】
【０００９】
ＵＳＢ２．０プラグ、ＵＳＢ３．０プラグ及び特殊プラグのいずれも嵌合可能な特殊レセプタクルにおいて特殊プラグが嵌合されたことを検知するためには、１）特殊プラグのシェル（特殊シェル）を嵌合抜去方向（所定方向）において標準的なＵＳＢ３．０プラグのシェル（標準シェル）又は標準的なＵＳＢ２．０プラグのシェル（標準シェル）よりも長くするようにＵＳＢ３．０プラグ又はＵＳＢ２．０プラグを変形して特殊プラグを構成し、且つ、２）特殊レセプタクル内部において、特殊シェルであれば接触可能な位置であるがＵＳＢ２．０プラグやＵＳＢ３．０プラグでは到達しない位置に検知ピンの接触部を配置することが考えられる。
【００１０】
ここで、ＵＳＢ３．０レセプタクルにＵＳＢ３．０プラグを嵌合した際、ＵＳＢ３．０レセプタクル内にはＵＳＢ３．０プラグの届いていないスペース（第１スペース）が存在している。同様に、ＵＳＢ３．０レセプタクルにＵＳＢ２．０プラグを嵌合した際、ＵＳＢ３．０レセプタクル内にはＵＳＢ２．０プラグの届いていないスペース（第２スペース）が存在している。更に、規格寸法を考慮すると、第２スペースは第１スペース内に含まれる。このため、ＵＳＢ３．０レセプタクルに対してＵＳＢ２．０プラグやＵＳＢ３．０を嵌合した場合、ＵＳＢ３．０レセプタクルの第２スペース内に位置する部位にはＵＳＢ２．０プラグ及びＵＳＢ３．０プラグのいずれも届かない。
【００１１】
従って、上述した第２スペースに相当するようなスペース（所定スペース）を特殊レセプタクルの内部に設け、その所定スペース内に検知ピンの接触部を配置することとすれば、特殊レセプタクルに対して、ＵＳＢ２．０プラグ、ＵＳＢ３．０プラグ及び特殊プラグのいずれも嵌合可能であり、且つ、ＵＳＢ２．０プラグやＵＳＢ３．０プラグではなく特殊プラグが嵌合されたことを検知することも可能となる。
【００１２】
加えて、特殊レセプタクルに特殊プラグを嵌合した際に特殊シェルが所定スペース内に納まるように特殊シェルを構成すると、特殊プラグをＵＳＢ３．０レセプタクルに嵌合することも可能となる。
【００１３】
なお、プラグ側に設けられるＵＳＢ２．０用のコンタクトの接点部は上述した所定方向に延びる細長い板状の部位であり、その板状の接点部のサイズは、所定方向において、上述した所定スペースのサイズよりも十分に大きい（長い）。そのため、特殊プラグが上述した所定スペースを超えないようなサイズの特殊シェルを有している場合には、かかる特殊プラグをＵＳＢ２．０レセプタクルに嵌合した際にＵＳＢ２．０に基づく接続を確立することができる。
【００１４】
このように、特殊レセプタクルに特殊プラグを嵌合した際に特殊シェルが所定スペース内に納まるように特殊シェルを構成した場合、かかる特殊プラグは、特殊レセプタクル、ＵＳＢ２．０レセプタクル及びＵＳＢ３．０レセプタクルのいずれにも嵌合可能となる。
【００１５】
本発明は、かかる検討・考察に基づいてなされたものであり、具体的には、以下に掲げる特殊レセプタクル及び特殊プラグを提供する。
【００１６】
即ち、本発明は、第１の特殊レセプタクルとして、
ＵＳＢ３．０規格に従ったＵＳＢ３．０プラグ、ＵＳＢ２．０規格に従ったＵＳＢ２．０プラグ、及び、前記ＵＳＢ３．０プラグを変形して構成され且つ特殊シェルを有する特殊プラグの３種のプラグのいずれとも所定方向に沿って嵌合可能な特殊レセプタクルであって、
前記特殊レセプタクルは、ＵＳＢ３．０規格に従った複数の第１コンタクトと、ＵＳＢ２．０規格に従った複数の第２コンタクトと、前記特殊レセプタクルに対して前記特殊プラグが嵌合されたのか否かを検知するための検知ピンと、前記第１コンタクト及び前記第２コンタクト並びに前記検知ピンを保持する保持部材と、前記保持部材に取り付けられたシェルとを備えており、
前記検知ピンは、前記特殊レセプタクルと前記特殊プラグとの嵌合状態において前記特殊シェルと接触する接触部を有し、前記特殊シェルと前記接触部との接触により前記特殊プラグが前記特殊レセプタクルに嵌合したことを検知するものであり、
前記特殊レセプタクルは、ＵＳＢ３．０規格に従ったＵＳＢ３．０レセプタクルに前記ＵＳＢ２．０プラグを嵌合した際に前記ＵＳＢ３．０レセプタクル内にある前記ＵＳＢ２．０プラグが到達しないスペースに対応する所定スペースを、前記特殊レセプタクルの内部に有しており、
前記接触部は、前記所定スペース内に配置されている
特殊レセプタクルを提供する。
【００１７】
また、本発明は、第２の特殊レセプタクルとして、第１の特殊レセプタクルであって、
前記保持部材は、一体形成されており、
前記第１コンタクト、前記第２コンタクト及び前記検知ピンは前記保持部材に圧入され又はインサート成型されている
特殊レセプタクルを提供する。
【００１８】
また、本発明は、第３の特殊レセプタクルとして、第１の特殊レセプタクルであって、
前記保持部材は、２つ以上の部材から構成されている
特殊レセプタクルを提供する。
【００１９】
また、本発明は、第４の特殊レセプタクルとして、第３の特殊レセプタクルであって、
前記保持部材は、前記部材として第１部材及び第２部材の２つのみを備えており、
前記第１コンタクトは、前記第１部材に圧入され又はインサート成型されており、
前記第２コンタクトは、前記第２部材に圧入され又はインサート成型されている
特殊レセプタクルを提供する。
【００２０】
また、本発明は、第５の特殊レセプタクルとして、第４の特殊レセプタクルであって、
前記検知ピンは、前記第２部材に圧入され又はインサート成型されている
特殊レセプタクルを提供する。
【００２１】
また、本発明は、第６の特殊レセプタクルとして、第３の特殊レセプタクルであって、
前記保持部材は、前記部材として、前記第１コンタクト及び前記第２コンタクトを保持するコンタクト保持部材と、前記検知ピンを保持するピン保持部材とを備えており、
前記検知ピンは、前記ピン保持部材に圧入され又はインサート成型されている
特殊レセプタクルを提供する。
【００２２】
また、本発明は、第７の特殊レセプタクルとして、第１乃至第６のいずれかの特殊レセプタクルであって、
前記第１コンタクトは、第１接点部を有しており、
前記第２コンタクトは、第２接点部を有しており、
前記保持部材は、前記所定方向において前方に延びる板状部と、前記所定方向と直交する垂直方向において前記板状部から離れた位置に位置すると共に前記所定方向に延びるアーム部とを有しており
前記板状部は、上面及び下面を有しており、
前記第１接点部及び前記第２接点部は、前記上面又は前記下面のいずれか一方上に位置しており、
前記検知ピンは、前記アーム部に保持されている
特殊レセプタクルを提供する。
【００２３】
また、本発明は、第８の特殊レセプタクルとして、第７の特殊レセプタクルであって、
前記検知ピンは、前記接触部に加えて、前記アーム部に固定された被固定部と、前記所定方向において前記前方の反対方向である後方に向かって前記被固定部から延びる弾性変形可能な支持部とを有しており、
前記接触部は、前記支持部に支持されている
特殊レセプタクルを提供する。
【００２４】
また、本発明は、第９の特殊レセプタクルとして、第８の特殊レセプタクルであって、
前記シェルは、前記所定方向と直交する垂直面内において前記板状部を囲う主部を有しており、
前記アーム部は、前記垂直面内において前記主部の外側に位置しており、
前記被固定部と前記支持部とは、前記垂直面内において前記主部の外側に位置しており、
前記接触部は、前記垂直面内において前記主部の内側に突出している
特殊レセプタクルを提供する。
【００２５】
また、本発明は、第１０の特殊レセプタクルとして、第９の特殊レセプタクルであって、
前記アーム部には、前記支持部に対応する溝部が形成されており、
前記支持部は前記溝部内において弾性変形可能となっている
特殊レセプタクルを提供する。
【００２６】
また、本発明は、第１１の特殊レセプタクルとして、第７乃至第１０のいずれかの特殊レセプタクルであって、
前記第１接点部及び前記第２接点部は、前記板状部の前記上面に配されており、
前記検知ピンの前記接触部は、前記板状部の下方に位置しており、上方に向けて突出している
特殊レセプタクルを提供する。
【００２７】
また、本発明は、第１２の特殊レセプタクルとして、
ＵＳＢ３．０規格に従ったＵＳＢ３．０プラグ、ＵＳＢ２．０規格に従ったＵＳＢ２．０プラグ、及び、前記ＵＳＢ３．０プラグ又は前記ＵＳＢ２．０プラグを変形して構成され且つ特殊シェルを有する特殊プラグの３種のプラグのいずれとも所定方向に沿って嵌合可能な特殊レセプタクルであって、
前記特殊レセプタクルは、複数のコンタクトと、前記特殊レセプタクルに対して前記特殊プラグが嵌合されたのか否かを検知するための検知ピンと、前記コンタクト及び前記検知ピンを保持する保持部材と、前記保持部材に取り付けられたシェルとを備えており、
前記検知ピンは、前記特殊レセプタクルと前記特殊プラグとの嵌合状態において前記特殊シェルと接触する接触部を有し、前記特殊シェルと前記接触部との接触により前記特殊プラグが前記特殊レセプタクルに嵌合したことを検知するものであり、
前記特殊レセプタクルは、ＵＳＢ３．０規格に従ったＵＳＢ３．０レセプタクルに前記ＵＳＢ２．０プラグを嵌合した際に前記ＵＳＢ３．０レセプタクル内にある前記ＵＳＢ２．０プラグが到達しないスペースに対応する所定スペースを、前記特殊レセプタクルの内部に有しており、
前記接触部は、前記所定スペース内に配置されている
特殊レセプタクルを提供する。
【００２８】
また、本発明は、第１３の特殊レセプタクルとして、第１２の特殊レセプタクルであって、
前記保持部材は、一体形成されており、
前記コンタクト及び前記検知ピンは前記保持部材に圧入され又はインサート成型されている
特殊レセプタクルを提供する。
【００２９】
また、本発明は、第１４の特殊レセプタクルとして、第１２の特殊レセプタクルであって、
前記保持部材は、２つ以上の部材から構成されている
特殊レセプタクルを提供する。
【００３０】
また、本発明は、第１５の特殊レセプタクルとして、第１４の特殊レセプタクルであって、
前記保持部材は、前記部材として第１部材及び第２部材の２つのみを備えており、
前記コンタクトは、前記第１部材に圧入され又はインサート成型されている
特殊レセプタクル。
特殊レセプタクルを提供する。
【００３１】
また、本発明は、第１６の特殊レセプタクルとして、第１５の特殊レセプタクルであって、
前記検知ピンは、前記第２部材に圧入され又はインサート成型されている
特殊レセプタクルを提供する。
【００３２】
また、本発明は、第１７の特殊レセプタクルとして、第１２乃至第１６のいずれかの特殊レセプタクルであって、
前記コンタクトは、接点部を有しており、
前記保持部材は、前記所定方向において前方に延びる板状部と、前記所定方向と直交する垂直方向において前記板状部から離れた位置に位置すると共に前記所定方向に延びるアーム部とを有しており
前記板状部は、上面及び下面を有しており、
前記接点部は、前記上面又は前記下面のいずれか一方上に位置しており、
前記検知ピンは、前記アーム部に保持されている
特殊レセプタクルを提供する。
【００３３】
また、本発明は、第１８の特殊レセプタクルとして、第１７の特殊レセプタクルであって、
前記検知ピンは、前記接触部に加えて、前記アーム部に固定された被固定部と、前記所定方向において前記前方の反対方向である後方に向かって前記被固定部から延びる弾性変形可能な支持部とを有しており、
前記接触部は、前記支持部に支持されている
特殊レセプタクルを提供する。
【００３４】
また、本発明は、第１９の特殊レセプタクルとして、第１８の特殊レセプタクルであって、
前記シェルは、前記所定方向と直交する垂直面内において前記板状部を囲う主部を有しており、
前記アーム部は、前記垂直面内において前記主部の外側に位置しており、
前記被固定部と前記支持部とは、前記垂直面内において前記主部の外側に位置しており、
前記接触部は、前記垂直面内において前記主部の内側に突出している
特殊レセプタクルを提供する。
【００３５】
また、本発明は、第２０の特殊レセプタクルとして、第１９の特殊レセプタクルであって、
前記アーム部には、前記支持部に対応する溝部が形成されており、
前記支持部は前記溝部内において弾性変形可能となっている
特殊レセプタクルを提供する。
【００３６】
また、本発明は、第２１の特殊レセプタクルとして、第１７乃至第２０のいずれかの特殊レセプタクルであって、
前記接点部は、前記板状部の前記上面に配されており、
前記検知ピンの前記接触部は、前記板状部の下方に位置しており、上方に向けて突出している
特殊レセプタクルを提供する。
【００３７】
また、本発明は、第２２の特殊レセプタクルとして、第１乃至第２１のいずれかの特殊レセプタクルであって、
前記検知ピンの本数は２本である
特殊レセプタクルを提供する。
【００３８】
更に、本発明は、第２３の特殊レセプタクルとして、第１乃至第２２のいずれかの特殊レセプタクルであって、
前記検知ピンは、Ａｕメッキされている
特殊レセプタクルを提供する。
【００３９】
また、本発明は、第２４の特殊レセプタクルとして、第１乃至第２３のいずれかの特殊レセプタクルであって、
前記検知ピンと前記シェルとは互いに直接接触しないように設けられている
特殊レセプタクルを提供する。
【００４０】
更に、本発明は、第２５の特殊レセプタクルとして、第１乃至第２４のいずれかの特殊レセプタクルであって、
前記３種のプラグのいずれかが嵌合したときに、前記プラグが挿入されたことを検知するプラグ検知ピンを更に有している
特殊レセプタクルを提供する。
【００４１】
また、本発明は、第１の特殊プラグとして、
第１乃至第２５のいずれかの特殊レセプタクルと嵌合可能な特殊プラグであって、
前記特殊シェルは、前記特殊レセプタクルに前記特殊プラグを嵌合した際に前記特殊シェルが前記所定スペース内に納まるように、構成されている
特殊プラグを提供する。
【００４２】
また、本発明は、第２の特殊プラグとして、第１の特殊プラグであって、
前記特殊プラグの保持部材の端面は、前記特殊シェルの端面と同一位置または奥側に位置している
特殊プラグを提供する。
【００４３】
更に、本発明は、第３の特殊プラグとして、第１又は第２の特殊プラグであって、
前記特殊シェルは、Ａｕメッキされている
特殊プラグを提供する。
【発明の効果】
【００４４】
本発明による特殊レセプタクルの内部に所定スペースを設け、その所定スペース内に検知ピンの接触部を配置することとしたので、本発明の特殊レセプタクルに対しては、ＵＳＢ２．０プラグ、ＵＳＢ３．０プラグ及び特殊プラグのいずれも嵌合可能であり、且つ、ＵＳＢ２．０プラグやＵＳＢ３．０プラグではなく特殊プラグが嵌合されたことを検知することも可能である。ここで、所定スペースとは、ＵＳＢ３．０レセプタクルにＵＳＢ２．０プラグを嵌合した際にＵＳＢ３．０レセプタクル内にあるスペースであってＵＳＢ２．０プラグの到達しないスペースに対応するものである。なお、特殊レセプタクル内部には所定スペースが少なくとも確保されていれば良く、従って、所定スペースよりも大きなスペースが設けられていてもよい。但し、既存のＵＳＢ３．０レセプタクルの設計資産を有効活用した場合には、所定スペースと同サイズのスペースを特殊レセプタクル内部に設けることとすることが好ましい。
【００４５】
また、特殊レセプタクルに特殊プラグを嵌合した際に特殊シェルが所定スペース内に納まるように特殊シェルを構成したことから、本発明による特殊プラグは、特殊レセプタクル、ＵＳＢ２．０レセプタクル及びＵＳＢ３．０レセプタクルのいずれにも嵌合可能となる。
【図面の簡単な説明】
【００４６】
【図１】本発明の実施の形態による特殊レセプタクルを示す斜視図である。
【図２】ＵＳＢ３．０規格に従ったＵＳＢ３．０プラグを示す斜視図である。ＵＳＢ３．０プラグは、図１の特殊レセプタクルに嵌合可能である。
【図３】図２のＵＳＢ３．０プラグを変形して得られる特殊プラグであって図１の特殊レセプタクルに嵌合可能な特殊プラグを示す斜視図である。
【図４】図３の特殊プラグの変形例であって図１の特殊レセプタクルに嵌合可能な他の特殊プラグを示す斜視図である。
【図５】図３の特殊プラグの変形例であって図１の特殊レセプタクルに嵌合可能な更に他の特殊プラグを示す斜視図である。
【図６】図１の特殊レセプタクルを示す分解斜視図である。
【図７】図１の特殊レセプタクルを示す正面図である。
【図８】図１の特殊レセプタクルを示す側面図である。
【図９】図７の特殊レセプタクルをIX--IX線に沿って示す断面図である。
【図１０】図７の特殊レセプタクルをＸ--Ｘ線に沿って示す断面図である。
【図１１】図６の特殊レセプタクルに含まれる主構造体を示す正面図である。
【図１２】図１１の主構造体を示す底部斜視図である。
【図１３】図６の主構造体を示す分解斜視図である。
【図１４】図１３の主構造体に含まれる検知ピンと第２部材とを示す分解斜視図である。
【図１５】図１の特殊レセプタクルと図３の特殊プラグとを示す断面図である。特殊レセプタクルと特殊プラグとは未だ嵌合されていない。
【図１６】図１の特殊レセプタクルと図３の特殊プラグとを示す断面図である。特殊レセプタクルと特殊プラグとは嵌合されている。
【図１７】ＵＳＢ３．０規格に従ったＵＳＢ３．０レセプタクルに対してＵＳＢ２．０規格に従ったＵＳＢ２．０プラグを嵌合した状態を示す断面図である。
【図１８】図６の主構造体の変形例を示す斜視図である。
【図１９】図６の主構造体の他の変形例を示す上部斜視図である。
【図２０】図１９の主構造体を示す底部斜視図である。図示された主構造体にはロケータが取り付けられている。
【図２１】図６の主構造体の更に他の変形例を示す上部斜視図である。
【図２２】図２１の主構造体を示す底部斜視図である。図示された主構造体にはロケータが取り付けられている。
【図２３】図２２の主構造体を備える特殊レセプタクルを示す分解斜視図である。
【図２４】図１の特殊レセプタクルの他の変形例を示す分解斜視図である。
【図２５】図２４の特殊レセプタクルに含まれる第１コンタクト、第２コンタクト及びコンタクト保持部材からなる構造体を示す斜視図である。
【図２６】図２４の特殊レセプタクルに含まれる検知ピン及びピン保持部材からなる構造体を示す斜視図である。
【図２７】図２４の特殊レセプタクルに含まれる主構造体２００ｄを示す斜視図である。
【図２８】図１の特殊レセプタクルの更に他の変形例を示す斜視図である。
【図２９】図２８の特殊レセプタクルを示す正面図である。
【図３０】図２９の特殊レセプタクルをXXX--XXX線に沿って示す断面図である。
【図３１】図１の特殊レセプタクルの更に他の変形例を示す斜視図である。
【図３２】図３１の特殊レセプタクルを構成する主構造体とシェルとを示す図である。
【図３３】図３１の特殊レセプタクルを斜め上方から見た分解斜視図である。
【図３４】図３１の特殊レセプタクルを斜め下方から見た分解斜視図である。
【図３５】図３１の特殊レセプタクルを示す断面図である。
【図３６】図３５の特殊レセプタクルとプラグとの嵌合時の動作を説明するための図である。
【発明を実施するための形態】
【００４７】
図１に示される本発明の実施の形態による特殊レセプタクル１００は、複数種のプラグを相手側プラグとしてＸ方向（所定方向）に沿って嵌合可能なものである。本実施の形態においては、説明の都合上、Ｘ方向（所定方向）において特殊レセプタクル１００の嵌合端側を前側、その反対側を後側と規定する。この規定によれば、＋Ｘ方向が「前方」となり、−Ｘ方向が「後方」となる。また、本実施の形態による特殊レセプタクル１００は、−Ｘ方向（即ち、後方）に向けて挿入された相手側プラグと嵌合するものである。即ち、特殊レセプタクル１００に対する相手側プラグの挿入方向は−Ｘ方向であり、特殊レセプタクル１００から相手側プラグを抜去する際の抜去方向は＋Ｘ方向である。
【００４８】
本実施の形態において特殊レセプタクル１００に嵌合可能な相手側プラグは、ＵＳＢ３．０規格に従ったＵＳＢ３．０プラグ、ＵＳＢ２．０規格に従ったＵＳＢ２．０プラグ、及び、ＵＳＢ３．０プラグ又はＵＳＢ２．０プラグを変形して構成された特殊プラグの少なくとも３種類ある。
【００４９】
図２を参照すると、ＵＳＢ３．０プラグ１０は、ＵＳＢ３．０規格に従った寸法形状を有する金属からなる標準シェル１２と、標準シェル１２に保護された絶縁体からなる保持部材１４と、保持部材１４に保持されたコンタクト１６とを備えている。図２に示されるコンタクト１６は、ＵＳＢ２．０用のものであり、板状の接点部を有している。また、図２には示されていないが、ＵＳＢ３．０プラグ１０には、ＵＳＢ３．０用のコンタクトも設けられており、保持部材１４に保持されている。
【００５０】
図１７に外形のみ示されるＵＳＢ２．０プラグ３０は、ＵＳＢ３．０プラグ１０と同様に、シェルと保持部材とＵＳＢ２．０用のコンタクトとを備えている。ＵＳＢ３．０規格に従ったＵＳＢ３．０レセプタクル７０に対してＵＳＢ２．０プラグ３０を嵌合した場合とＵＳＢ３．０プラグ１０を嵌合した場合とを比較すると、規格上の公差に起因して、ＵＳＢ２．０プラグ３０の方がＵＳＢ３．０プラグ１０よりもＵＳＢ３．０レセプタクル７０の奥まで到達する可能性がある。但し、ＵＳＢ３．０レセプタクル７０に対してＵＳＢ２．０プラグ３０を嵌合した場合であって、図１７に示されるように、ＵＳＢ３．０レセプタクル７０の内部にはＵＳＢ２．０プラグ３０の先端３２の到達しないスペース８０がある。従って、ＵＳＢ３．０プラグ１０の標準シェル１２の先端を−Ｘ方向（後方）に延ばすような変形を加えたとしても、その延長分のサイズがスペース８０のＸ方向（所定方向）におけるサイズよりも小さい場合には、変形されたＵＳＢ３．０プラグは問題なくＵＳＢ３．０レセプタクル７０に嵌合し得ることが理解される。本実施の形態における特殊プラグは、かかるスペース８０を考慮して構成されている。
【００５１】
図３、図１５及び図１６を参照すると、具体的には、本実施の形態における特殊プラグ２０は、標準シェル１２を−Ｘ方向に延長するよう変形してなる特殊シェル２２を備えている。この本実施の形態による特殊シェル２２は、後述するように検知機構を考慮し導通信頼性を高めるため、Ａｕメッキされている。特殊プラグ２０は、特殊シェル２２以外の構成においてＵＳＢ３．０プラグ１０と同じであり、保持部材１４と、保持部材１４に保持されたコンタクト１６，１８とを備えている。ここで、コンタクト１６は、ＵＳＢ２．０用のものであり、コンタクト１８は、ＵＳＢ３．０用のものである。
【００５２】
図２から理解されるように、ＵＳＢ３．０プラグ１０において標準シェル１２の先端と保持部材１４の先端１４ｔとはほぼ同じ位置にある。これに対して、図１５に最も良く示されるように、特殊プラグ２０において特殊シェル２２の先端２２ｔは保持部材１４の先端１４ｔよりも−Ｘ方向に突出している。標準シェル１２と比較した場合の特殊シェル２２の突出量は、前述のＵＳＢ３．０レセプタクル７０内のスペース８０（図１７参照）を考慮して定められたものであり、詳しくは、ＵＳＢ３．０レセプタクル７０に対して特殊プラグ２０を挿入嵌合した場合に、特殊シェル２２の保持部材１４の先端１４ｔから突出している部分がスペース８０内に納まるような所定サイズを有している。本実施の形態における所定サイズ（即ち、特殊シェル２２と標準シェル１２とのＸ方向における差）は、具体的には、１．３ｍｍである。
【００５３】
図４及び図５を参照すると、本実施の形態による特殊レセプタクル１００に接続嵌合可能な特殊プラグ２０ａ，２０ｂが更に示されている。図３と図４及び図５とを比較すれば理解されるように、特殊プラグ２０ａ，２０ｂは、基本的には特殊プラグ２０と同構成である。例えば、特殊シェル２２ａ，２２ｂも保持部材１４の先端１４ｔから−Ｘ側に突出しており、その最大突出量は特殊シェル２２と同じである。一方、特殊シェル２２ａ，２２ｂは、２つの切り欠き２４ａ，２４ｂを有している点で特殊プラグ２０の特殊シェル２２とは異なっている。図４及び図５から理解されるように、各特殊シェル２２ａ，２２ｂにおいて切り欠き２４ａ，２４ｂは、特殊プラグ２０ａ，２０ｂの嵌合端を＋Ｘ方向に沿って見た場合に対角に位置している。また、切り欠き２４ａの位置する対角と切り欠き２４ｂの位置する対角とは互いに異なっている。
【００５４】
なお、図３乃至図５に示される特殊プラグ２０，２０ａ，２０ｂは、特殊シェル２２，２２ａ，２２ｂのみをＵＳＢ３．０プラグ１０の標準シェル１２と異ならせたものであり、特殊プラグ２０，２０ａ，２０ｂの保持部材１４は、ＵＳＢ３．０プラグ１０の保持部材１４と同じであったことから、保持部材１４の先端１４ｔは＋Ｘ方向に沿って見た場合に特殊シェル２２，２２ａ，２２ｂの先端２２ｔよりも奥側に位置している。即ち、特殊プラグ２０，２０ａ，２０ｂの保持部材１４の先端１４ｔは、Ｘ方向（所定方向）において特殊シェル２２，２２ａ，２２ｂの先端２２ｔよりも内側に位置している。しかしながら、本発明はこれに限定されず、特殊プラグ２０，２０ａ，２０ｂの保持部材１４の先端１４ｔは、Ｘ方向（所定方向）において特殊シェル２２，２２ａ，２２ｂの先端２２ｔと同一位置に位置していてもよい。また、特殊プラグ２０，２０ａ，２０ｂの保持部材１４の先端１４ｔは、図示された位置と特殊シェル２２，２２ａ，２２ｂの先端２２ｔとの間に位置していてもよい。即ち、特殊シェル２２，２２ａ，２２ｂの先端２２ｔにより近い位置まで、特殊プラグ２０，２０ａ，２０ｂの保持部材１４の先端１４ｔが延びていてもよい。
【００５５】
図１及び図６を参照すると、本実施の形態による特殊レセプタクル１００は、概略、主構造体２００と、ロケータ７００と、シェル８００とを備えるものである。
【００５６】
図６及び図１１乃至図１３に示されるように、主構造体２００は、絶縁体からなる保持部材３００と、ＵＳＢ３．０規格に従った複数の第１コンタクト（コンタクト）４００と、ＵＳＢ２．０規格に従った複数の第２コンタクト（コンタクト）５００と、２本の検知ピン６００とを備えている。具体的には、第１コンタクト４００の本数は５本であり、第２コンタクト５００の本数は４本である。
【００５７】
本実施の形態による保持部材３００は、第１コンタクト４００を主として保持する第１部材（部材）３１０と、第２コンタクト５００を主として保持する第２部材（部材）３３０とを備えている。
【００５８】
第１部材３１０は、＋Ｘ方向に延びる板状部３２０と、２つの挿入部３１５とを有している。挿入部３１５は、板状部３２０のＹ方向（横方向）の両端から−Ｘ方向（後方）に突出している。本実施の形態による第１コンタクト４００は、第１接点部（接点部）４２０が板状部３２０の上面側に位置するように、第１部材３１０に対してインサート成型されている。即ち、第１コンタクト４００は、第１部材３１０の成型時に第１部材３１０に対して組み込まれている。但し、本発明はこれに限定されるわけではなく、例えば、第１コンタクト４００は、第１部材３１０に対して圧入され、保持されていてもよい。
【００５９】
第２部材３３０は、保持部材３００の後壁部を構成する基部３４０と、２つのアーム部３５０とを有している。本実施の形態による第２コンタクト５００は、第２部材３３０の基部３４０に対して圧入され、保持されている。詳しくは、第２コンタクト５００は、第２部材３３０の基部３４０に対して前方から圧入された後、特殊レセプタクル１００の搭載される基板（図示せず）に取り付け固定される被固定部５４０が−Ｚ方向（下方）に向くように折り曲げられている。しかしながら、本発明はこれに限定されるわけではなく、第２部材３３０を変形して第２コンタクト５００をインサート成型により第２部材３３０に組み込むこととしてもよい。なお、図６及び図１２から理解されるように、被固定部５４０は、ロケータ７００の位置決め孔７２０に挿入され整列保持される。
【００６０】
図１３を参照すると、アーム部３５０は、基部３４０のＹ方向両端且つＺ方向（垂直方向）の下端から、＋Ｘ方向に向かって細長く延びている。基部３４０のＹ方向両端には、−Ｘ方向に凹んだ凹部からなる受容部３３５が形成されており、これら受容部３３５に対して第１部材３１０の挿入部３１５を挿入することで（図９参照）第１部材３１０と第２部材３３０とは組み合わせられる。
【００６１】
図９乃至図１２から理解されるように、第１部材３１０と第２部材３３０とを組み合わせた状態において、板状部３２０とアーム部３５０とは、基部３４０から＋Ｘ方向（前方）に延びている。即ち、板状部３２０の延びる方向とアーム部３５０の延びる方向とは同じである。一方、板状部３２０とアーム部３５０とは、Ｚ方向（垂直方向）において互いに離れて位置している。即ち、アーム部３５０は、板状部３２０からＺ方向において離間するように設けられている。特に、本実施の形態によるアーム部３５０は、板状部３２０の−Ｚ側（下方）に位置している。
【００６２】
図６、図７、図１０及び図１１から理解されるように、第１部材３１０と第２部材３３０とを組み合わせると、第２コンタクト５００の第２接点部（接点部）５２０が板状部３２０の上面３２２側に位置することとなる。具体的には、板状部３２０の上面３２２側において、板状部３２０の＋Ｘ側端部（前端）近傍には５個の第１接点部４２０がＹ方向に一列に並んでおり、その−Ｘ側（後側）には４個の第２接点部５２０がＹ方向に一列に並んでいる。なお、図６、図１０、図１２及び図１３から理解されるように、第１コンタクト４００は、第１部材３１０と第２部材３３０とを組み合わせた後、特殊レセプタクル１００の搭載される基板（図示せず）に取り付け固定される被固定部４４０が−Ｚ方向（下方）に向くように折り曲げられる。更に、図６及び図１２から理解されるように、被固定部４４０は、ロケータ７００の位置決め孔７２０に挿入され整列保持される。
【００６３】
各アーム部３５０は、スリット状の孔が設けられた固定部３５２と、固定部３５２の−Ｘ側（後側）に位置する溝部３５４とを有している。溝部３５４は、Ｘ方向に細長く延びると共にアーム部３５０をＺ方向において貫通している。但し、溝部３５４は、これに限定されるわけではなく、例えば、アーム部３５０を貫通せずに底部を有するものであってもよい。
【００６４】
図１４に最も良く示されるように、検知ピン６００は、−Ｚ方向（下方）に向かって延びる被固定部６２０と、被固定部６２０から−Ｘ方向（後方）に向かって延びる細長い板状の支持部６４０と、支持部６４０の−Ｘ方向端部（後端）に設けられた接触部６６０とを有している。本実施の形態による検知ピン６００は、導通信頼性を高めるため、Ａｕメッキされている。
【００６５】
図９及び図１４から理解されるように、被固定部６２０は、固定部３５２に形成された孔に圧入され保持される。これに代えて、検知ピン６００をアーム部３５０にインサート成型することとしてもよい。被固定部６２０が固定部３５２に保持されることにより、支持部６４０は、溝部３５４内に延びている。即ち、支持部６４０はアーム部３５０の上面３５６よりも僅かながら−Ｚ側（下側）に位置している。被固定部６２０と支持部６４０とは、ＸＺ平面内においてＬ字状の断面を有している。かかる支持部６４０は、固定部３５２と溝部３５４との境界部分を支点として弾性変形可能である。
【００６６】
接触部６６０は、＋Ｚ側（上方）に突出しており、ＸＺ平面内において逆Ｕ字状の断面を有している。接触部６６０のみがアーム部３５０の上面（上端面）３５６よりも上方へ突出している。この接触部６６０には、後述するように、特殊シェル２２の先端２２ｔ及びその近傍が当接する。この際、本実施の形態による検知ピン６００は、被固定部６２０が固定部３５２により接触部６６０よりも＋Ｘ側（前方）で固定されていることから、接触部６６０に特殊シェル２２が当接した際に、検知ピン６００が座屈してしまうことがない。
【００６７】
図６乃至図１０に示されるように、シェル８００は、四角筒状の主部８２０と、主部８２０に設けられた接触バネ部８４０と、特殊レセプタクル１００を基板（図示せず）に搭載するための搭載部８６０を有している。搭載部８６０は、基板のスルーホール（図示せず）に半田付けされる。主部８２０は、主構造体２００の殆どを囲うことにより保護するための部位である。特に、主部８２０は、ＹＺ平面（所定方向に直交する垂直平面）内において板状部３２０を囲うように設けられている。
【００６８】
図６及び図９から理解されるように、シェル８００を主構造体２００に取り付けた状態において、アーム部３５０は、ＹＺ平面内において、シェル８００の主部８２０の外側に位置している。また、図９に示されるように、検知ピン６００の被固定部６２０と支持部６４０もＹＺ平面内においてシェル８００の主部８２０の外側に位置している。前述のように本実施の形態による支持部６４０は、アーム部３５０の上面３５６よりも−Ｚ側（下方）に位置しているので、被固定部６２０や支持部６４０がシェル８００と接触してしまうことはない。検知ピン６００のうち接触部６６０のみは、ＹＺ平面内において主部８２０の内側に突出している。但し、図９から理解されるように、接触部６６０はシェル８００とは接触していない。
【００６９】
図９及び図１５乃至図１７を参照すると、特殊レセプタクル１００内には、ＵＳＢ３．０レセプタクル７０に設けられていたスペース８０に対応する所定スペース５０が設けられている。換言すると、所定スペース５０とスペース８０とはサイズ的に等しい。本実施の形態による接触部６６０は、かかる所定スペース５０内に位置している。特殊レセプタクル１００内には、所定スペース５０よりも−Ｘ側（後側）に延びるようなスペース（即ち、所定スペース５０を含み且つ所定スペース５０よりも大きなスペース）が設けられていてもよいが、本実施の形態による特殊レセプタクル１００内には所定スペース５０のみが設けられている。即ち、特殊レセプタクル１００の嵌合端から保持部材３００の基部３４０までの距離は、ＵＳＢ３．０レセプタクル７０の場合と等しい。
【００７０】
接触部６６０が所定スペース５０内に設けられていることから、特殊レセプタクル１００に対してＵＳＢ２．０プラグ３０やＵＳＢ３．０プラグ１０が挿入嵌合されたとしてもそれらが接触部６６０に到達することはないが、特殊レセプタクル１００に対して特殊プラグ２０が挿入嵌合された場合には特殊シェル２２が接触部６６０に当接することとなる。この際、本実施の形態においては、検知ピン６００も特殊シェル２２もＡｕメッキされているため、十分な接圧が確保できなくとも検知ピン６００と特殊シェル２２との間の導通を図ることができる。なお、特殊レセプタクル１００に対して特殊プラグ２０を嵌合した場合には、２つの検知ピン６００のいずれもが特殊シェル２２に接触することとなるが、特殊レセプタクル１００に対して図４又は図５に示される特殊プラグ２０ａ又は２０ｂを嵌合した場合には、いずれか一方の検知ピン６００のみが特殊シェル２２ａ，２２ｂに接触することとなる。１）特殊レセプタクル１００が基板（図示せず）に搭載された際にシェル８００はグランドに落とされること、及び、２）特殊レセプタクル１００に対して特殊プラグ２０，２０ａ，２０ｂのいずれを嵌合した場合にも接触バネ部８４０によりシェル８００と特殊シェル２２，２２ａ，２２ｂとの接続が図られることの２点を考慮すると、各検知ピン６００を予めプルアップしておいて、それら検知ピン６００がグランドに落とされるか否かをモニタすることにより、嵌合されたプラグが特殊プラグ２０，２０ａ，２０ｂであるか特殊プラグ２０，２０ａ，２０ｂ以外のＵＳＢ２．０プラグ３０又はＵＳＢ３．０プラグ１０であるかを検知でき、更に、グランドに落とされた検知ピン６００の組み合わせにより、いずれの特殊プラグ２０，２０ａ，２０ｂが嵌合されたのかを検知することができる。
【００７１】
上述した実施の形態に対しては、様々な変形が可能である。例えば、上述した実施の形態による保持部材３００は２つの部材（第１部材３１０及び第２部材３３０）を組み合わせて構成されていたが、本発明はこれに限定されるわけではない。
【００７２】
図１８を参照すると、第１変形例による特殊レセプタクルの主構造体２００ａは、一体形成された保持部材３００ａ、即ち、１ブロック又は１ピースの保持部材３００ａを備えている。図示された保持部材３００ａは、上述した実施の形態における保持部材３００（図６参照）と同様の外形を有するものであり、基部３４０ａから＋Ｘ方向に延びる板状部３２０ａと２つのアーム部３５０ａとを有している。第１コンタクト４００と第２コンタクト５００とは第１接点部４２０及び第２接点部５２０を板状部３２０の上面に位置させるようにして保持部材３００ａに保持されている。保持の形態は、圧入であってもよいし、インサート成型であってもよい。アーム部３５０ａには、検知ピン６００が保持されている。保持の形態は、圧入であってもよいし、インサート成型であってもよい。
【００７３】
また、上述した実施の形態や第１変形例においては、アーム部３５０，３５０ａを第２部材３３０又は保持部材３００ａと一体に形成していたが、これを分けることとしてもよい。
【００７４】
図１９及び図２０を参照すると、第２変形例による特殊レセプタクルの主構造体２００ｂは、第１部材３１０ｂ及び第２部材３３０ｂを組み合わせてなるコンタクト保持部材（部材）３６０ｂと、ピン保持部材３７０ｂとからなる保持部材３００ｂを備えている。
【００７５】
コンタクト保持部材３６０ｂは、第１コンタクト４００及び第２コンタクト５００を保持するものである。詳しくは、第１コンタクト４００は第１部材３１０ｂに保持され、第２コンタクト５００は第２部材３３０ｂに保持されている。第１部材３１０ｂと第２部材３３０ｂとを組み合わせると、基部３４０ｂから板状部３２０ｂが＋Ｘ方向に延びることとなり、第１接点部４２０と第２接点部５２０とが板状部３２０ｂの上面に位置することとなる。
【００７６】
ピン保持部材３７０ｂは、検知ピン６００を保持するためのものである。図示されたピン保持部材３７０ｂは、上方から見た場合に、角ばったＣ字状（コの字状）の形状を有する１つの部材である。即ち、ピン保持部材３７０ｂは、２つのアーム部３５０ｂを有しており、夫々に、検知ピン６００を保持している。
【００７７】
この第２変形例において、コンタクト保持部材３６０ｂは、第１部材３１０ｂ及び第２部材３３０ｂを組み合わせてなるものであったが、これらを一体形成することとしてもよい。即ち、コンタクト保持部材３６０ｂを１ブロック又は１ピースの部材として構成してもよい。
【００７８】
更に、ピン保持部材３７０ｂは、１つの部材であったが、２つに分けてもよい。
【００７９】
図２１乃至図２３を参照すると、第３変形例による特殊レセプタクル１００ｃの主構造体２００ｃは、第１部材３１０ｃ及び第２部材３３０ｃを組み合わせてなるコンタクト保持部材（部材）３６０ｃと、２つのピン保持部材３７０ｃとからなる保持部材３００ｃを備えている。
【００８０】
コンタクト保持部材３６０ｃは、第１コンタクト４００及び第２コンタクト５００を保持するものである。詳しくは、第１コンタクト４００は第１部材３１０ｃに保持され、第２コンタクト５００は第２部材３３０ｃに保持されている。第１部材３１０ｃと第２部材３３０ｃとを組み合わせると、基部３４０ｃから板状部３２０ｃが＋Ｘ方向に延びることとなり、第１接点部４２０と第２接点部５２０とが板状部３２０ｃの上面に位置することとなる。
【００８１】
ピン保持部材３７０ｃは、夫々、アーム部３５０ｃを有しており、検知ピン６００を保持している。
【００８２】
図２３に示されるように、この第３変形例によるピン保持部材３７０ｃは、コンタクト保持部材３６０ｃとは別にシェル８００に取り付けられる。上述した第２変形例においても、ピン保持部材３７０ｂをコンタクト保持部材３６０ｂとは別にシェル８００に取り付けることとしてもよい。
【００８３】
この第３変形例において、コンタクト保持部材３６０ｃは、第１部材３１０ｃ及び第２部材３３０ｃを組み合わせてなるものであったが、これらを一体形成することとしてもよい。即ち、コンタクト保持部材３６０ｃを１ブロック又は１ピースの部材として構成してもよい。
【００８４】
上述した実施の形態においては、第１コンタクト４００の第１接点部４２０及び第２コンタクト５００の第２接点部５２０が板状部３２０の上面３２２に位置していたが、これを下面３２４側に位置させることとしてもよい。即ち、特殊レセプタクル１００をリバースタイプとしてもよい。第１乃至第３変形例による特殊レセプタクルについても同様である。特殊レセプタクル１００をリバースタイプとした場合であっても、図４及び図５に示される特殊プラグ２０ａ，２０ｂの切り欠き２４ａ，２４ｂは互いに異なる対角に形成されていることから検出識別可能である。
【００８５】
上述した第２及び第３変形例において、ロケータ７００とピン保持部材３７０ｂ，３７０ｃとは互いに別体であったが、それらを一体にしてもよい。
【００８６】
図２４乃至図２７を参照すると、第４変形例による特殊レセプタクル１００ｄは、主構造体２００ｄと、シェル８００ｄとを備えている。本変形例による主構造体２００ｄは、コンタクト保持部材（部材）３６０ｄとピン保持部材３７０ｄとからなる保持部材３００ｄを備えている。
【００８７】
図２４及び図２５に示されるように、主構造体２００ｄのコンタクト保持部材３６０ｄは、第１コンタクト４００ｄを保持する第１部材３１０ｄと、第２コンタクト５００ｄを保持する第２部材３３０ｄを組み合わせてなるものである。第１コンタクト４００ｄは、第１接点部４２０ｄが板状部３２０ｄの下面３２４ｄに位置するように、コンタクト保持部材３６０ｄに対してインサート成型されている。第２コンタクト５００ｄは、第２接点部５２０ｄが板状部３２０ｄの下面３２４ｄに位置するように、コンタクト保持部材３６０ｄに対して−Ｚ側（下側）から圧入されている。これらのことから理解されるように、本変形例による特殊レセプタクル１００ｄは、リバースタイプのものである。なお、第１コンタクト４００ｄの被固定部４４０ｄ及び第２コンタクト５００ｄの被固定部５４０ｄは、コンタクト保持部材３６０ｄの−Ｘ方向端部（後端）から−Ｚ方向（下方）に沿って延びている。
【００８８】
図２４及び図２６に示されるように、ピン保持部材３７０ｄは、＋Ｘ方向に突出した略板状の固定部３５２ｄと、ロケータ部７００ｄとを有している。固定部３５２ｄには、２つの溝部３５４ｄが形成されている。固定部３５２ｄには、２つの検知ピン６００ｄが固定されている。具体的には、支持部６４０ｄが溝部３５４ｄ内で変形可能となるように、被固定部６２０ｄを固定部３５２ｄに対して−Ｚ側（下側）から圧入することによって、検知ピン６００ｄはピン保持部材３７０ｄに保持されている。これにより、接触部６６０ｄは上述した実施の形態等と同様に変位可能となっている。
【００８９】
図示されたピン保持部材３７０ｄのロケータ部７００ｄには、複数の位置決め孔７２０ｄが設けられている。これら位置決め孔７２０ｄは、夫々、第１コンタクト４００ｄの被固定部４４０ｄ及び第２コンタクト５００ｄの被固定部５４０ｄを整列保持するためのものである。
【００９０】
図２４乃至図２７から理解されるように、第１コンタクト４００ｄ及び第２コンタクト５００ｄを保持したコンタクト保持部材３６０ｄ（図２５参照）と、検知ピン６００ｄを保持したピン保持部材３７０ｄ（図２６参照）とを組み合わせることにより、主構造体２００ｄ（図２７参照）を得ることができる。
【００９１】
上述した実施の形態において、検知ピン６００，６００ｄは、どのタイプのプラグが挿入されてきたかを検知するものであったが、更に、どのタイプかにかかわらず、プラグが挿入されてきたこと自体を検知するプラグ検知ピンを設けることとしてもよい。
【００９２】
図２８乃至図３０を参照すると、第５変形例による特殊レセプタクル１００ｅは、リバースタイプのものである。特殊レセプタクル１００ｅにおいて、第１コンタクト４００ｅの第１接点部４２０ｅ及び第２コンタクト５００ｅの第２接点部５２０ｅは、保持部材３００ｅの板状部３２０ｅの上面側３２２ｅではなく下面３２４ｅ側に位置している。
【００９３】
本変形例による特殊レセプタクル１００ｅは、プラグのタイプにかかわらずプラグが挿入されてきた場合に（即ち、標準プラグが挿入されてきた場合であっても特殊プラグが挿入されてきた場合であっても）、そのプラグの挿入自体を検知するためのプラグ検知ピン９００を備えている。図３０に最も良く示されるように、プラグ検知ピン９００は、接触部９２０と、接触部９２０を弾性支持する支持部９４０と、保持部材３００ｅに保持固定された被固定部９６０とを有している。支持部９４０は、被固定部９６０の上端から前方（＋Ｘ方向）に延びている。図２８及び図３０に示されるように、本変形例によるシェル８００ｅの主部８２０ｅの底面側には孔８２５が形成されている。図３０に示されるように、接触部９２０は、その孔８２５を通じてシェル８００ｅの主部８２０内に突出するように且つ主として上下方向（Ｘ方向）に変位可能となるように支持部９４０に弾性支持されている。
【００９４】
本変形例による特殊レセプタクル１００ｅにおいて、プラグ（標準プラグ又は特殊プラグ）のシェルが特殊レセプタクル１００ｅ内に挿入されてくると、そのプラグのシェルが特殊レセプタクル１００ｅのシェル８００ｅの接触部バネと接触すると共にプラグ検知ピン９００の接触部９２０に接触し、それにより、シェル８００ｅとプラグ検知ピン９００との間にはプラグ側のシェルを介した電気的経路が形成される。従って、本変形例においては、シェル８００ｅとプラグ検知ピン９００との間に電気的経路が形成されたか否かをモニタすることにより、プラグが特殊レセプタクル１００ｅに挿入されてきたか否かを検知することができる。
【００９５】
特に、図３０から明らかであるように、本変形例による特殊レセプタクル１００ｅにおいて、プラグ検知ピン９００の接触部９２０は、検知ピン６００の接触部６６０よりも前方（＋Ｘ側：嵌合端側）に位置している。従って、特殊レセプタクル１００ｅに挿入されてきたプラグが特殊プラグであるか標準プラグであるかを検知ピン６００により検知する前にプラグの挿入自体を検知することができる。
【００９６】
かかるプラグ検知ピンを設けることとすると、プラグが挿入されるまでは検知ピン６００に関係する回路等に対する電源供給を止めておく一方で、プラグが挿入され始まったことを受けて回路等をスタンバイ状態に移行させることができることから消費電力を抑えることができる。
【００９７】
図３１乃至図３６を参照すると、第６変形例による特殊レセプタクル１００ｆは、上述した第５変形例とは異なる方法によりプラグの挿入検知を可能とするものである。
【００９８】
詳しくは、第６変形例による特殊レセプタクル１００ｆは、主構造体２００ｆと、シェル８００ｆとを備えている。本変形例による主構造体２００ｆは、コンタクト保持部材（部材）３６０ｆとピン保持部材３７０ｆとからなる保持部材３００ｆを備えている。
【００９９】
図３４に最も良く示されるように、主構造体２００ｆのコンタクト保持部材３６０ｆは、第１コンタクト４００ｆを保持する第１部材３１０ｆと、第２コンタクト５００ｆを保持する第２部材３３０ｆを組み合わせてなるものである。第１コンタクト４００ｆは、第１接点部４２０ｆが板状部３２０ｆの下面３２４ｆに位置するように、コンタクト保持部材３６０ｆに対してインサート成型されている。第２コンタクト５００ｆは、第２接点部５２０ｆが板状部３２０ｆの下面３２４ｆに位置するように、コンタクト保持部材３６０ｆに対して−Ｚ側（下側）から圧入されている。これらのことから理解されるように、本変形例による特殊レセプタクル１００ｆは、リバースタイプのものである。なお、第１コンタクト４００ｆの被固定部４４０ｆ及び第２コンタクト５００ｆの被固定部５４０ｆは、コンタクト保持部材３６０ｆの−Ｘ方向端部（後端）から−Ｚ方向（下方）に沿って延びている。
【０１００】
図３４に最も良く示されるように、ピン保持部材３７０ｆは、＋Ｘ方向に突出した略板状の固定部３５２ｆと、ロケータ部７００ｆとを有している。固定部３５２ｆのＹ方向の両端近傍には溝部３５４ｆがそれぞれ形成されており、固定部３５２ｆのＹ方向中央には溝部３５５ｆが形成されている。かかる固定部３５２ｆには、２つの検知ピン６００ｆと、第１プラグ検知ピン（プラグ検知ピン）９００ｆと、第２プラグ検知ピン（プラグ検知ピン）９０５ｆとが保持固定されている。
【０１０１】
具体的には、支持部６４０ｆが溝部３５４ｆ内で変形可能となるように、被固定部６２０ｆを固定部３５２ｆに対して−Ｚ側（下側）から圧入することによって、検知ピン６００ｆはピン保持部材３７０ｆに保持されている。これにより、接触部６６０ｆは上述した実施の形態等と同様に変位可能となっている。
【０１０２】
図３４を参照すると、支持部９４０ｆが溝部３５５ｆ内で変形可能となるように、被固定部９６０ｆを固定部３５２ｆに対して−Ｚ側（下側）から圧入することによって、第１プラグ検知ピン９００ｆはピン保持部材３７０ｆに保持されている。これにより、被押圧部９２０ｆ及び接触部９８０ｆは、Ｚ方向において実質的に変位可能となっている。
【０１０３】
図３５に最も良く示されるように、第１プラグ検知ピン９００ｆの支持部９４０ｆは、被固定部９６０ｆの上端から前方（＋Ｘ方向）に延びている。本変形例によるシェル８００ｆの主部８２０ｆの底面側には孔８２５が形成されている。被押圧部９２０ｆは、その孔８２５を通じてシェル８００ｆの主部８２０ｆ内に突出するように且つ主として上下方向（Ｘ方向）に変位可能となるように支持部９４０ｆに弾性支持されている。
【０１０４】
図３４を参照すると、第１プラグ検知ピン９００ｆを固定部３５２ｆに保持固定した後に、被固定部９６５ｆを固定部３５２ｆに対して−Ｚ側（下側）から圧入することによって、第２プラグ検知ピン９０５ｆは、支持部９４５ｆ及び接触部９２５ｆが溝部３５５ｆ内に位置するように、ピン保持部材３７０ｆに保持されている。
【０１０５】
図３５に最もよく示されているように、第１プラグ検知ピン９００ｆ及び第２プラグ検知ピン９０５ｆがピン保持部材３７０ｆに保持された状態において、第１プラグ検知ピン９００ｆの接触部９８０ｆは、Ｚ方向（上下方向）において、第２プラグ検知ピン９０５ｆの接触部９２５ｆの上方に位置しており、第２プラグ検知ピン９０５ｆの接触部９２５ｆと対向している。
【０１０６】
図３３乃至図３５に示されるように、ピン保持部材３７０ｆのロケータ部７００ｆには、複数の位置決め孔７２０ｆが設けられている。これら位置決め孔７２０ｆは、夫々、第１コンタクト４００ｆの被固定部４４０ｆ及び第２コンタクト５００ｆの被固定部５４０ｆを整列保持するためのものである。
【０１０７】
図３６に示されるように、標準プラグ又は特殊プラグといったようなプラグ４０のシェル４２が特殊レセプタクル１００ｆ内に挿入されてくると、プラグ４０のシェル４２は、特殊レセプタクル１００ｆの第１プラグ検知ピン９００ｆの被押圧部９２０ｆに接触し、被押圧部９２０ｆを−Ｚ方向（下方）に押圧する。それにより、接触部９８０ｆも−Ｚ方向（下方）に変位し、第２プラグ検知ピン９０５ｆの接触部９２５ｆと接触し、第１プラグ検知ピン９００ｆと第２プラグ検知ピン９０５ｆとが接続されることとなる。従って、本変形例においては、第１プラグ検知ピン９００ｆと第２プラグ検知ピン９０５ｆとが接続されたか否かをモニタすることにより、プラグ４０が特殊レセプタクル１００ｆに挿入されてきたか否かを検知することができる。本変形例によると、例えば、第１プラグ検知ピン９００ｆと第２プラグ検知ピン９０５ｆとに同一のメッキ処理を施すことが可能となり、プラグ挿入検知に関連する接触抵抗を軽減することができ、検出精度を高めることができる。また、本変形例によれば、シェル４２の材質やメッキ処理等の表面処理の方法に変更を加えることがない。
【０１０８】
上述した実施の形態においては、検知ピン６００の座屈防止等の観点から、アーム部３５０を＋Ｘ方向に延びる部位として形成して、そのアーム部３５０に検知ピン６００を保持させることとしたが、検知ピン６００の保持構造はアーム部３５０には限られないし、場合によってはアーム部３５０を削除してもよい。加えて、検知ピン６００の特に支持部６４０の延びる方向はＸ方向（所定方向）のみには限られずＹ方向（横方向）やＺ方向（垂直方向）又はそれらと斜交する方向に延びていてもよい。第１乃至第６変形例による特殊レセプタクルについても同様である。
【０１０９】
また、上述した実施の形態や第１乃至第６変形例においては、検知ピン６００，６００ｄ，６００ｆの本数は２本であったが、本発明はこれに限定されるものではない。例えば検知ピン６００，６００ｄ，６００ｆの本数は１本のみであってもよいし、３本以上であってもよい。但し、レセプタクルのサイズや検知したい特殊プラグの数などを考慮すると、検知ピン６００，６００ｄ，６００ｆの本数は２本であることが好ましい。
【０１１０】
また、上述した特殊レセプタクルに嵌合可能な相手側プラグである特殊プラグの説明においては、標準的なＵＳＢ３．０プラグのシェル（標準シェル）を変形して特殊プラグのシェル（特殊シェル）を構成した形態で説明したが、標準的なＵＳＢ２．０プラグのシェル（標準シェル）を変形して特殊プラグのシェル（特殊シェル）を形成しても良い。この場合には、特殊プラグの特殊シェル以外の構成においてはＵＳＢ２．０プラグと同じであり、特殊プラグに用いられるコンタクトは、ＵＳＢ２．０規格に従ったＵＳＢ２．０用コンタクトのみとなり、特殊レセプタクルに用いられるコンタクトもＵＳＢ２．０規格に従った第２コンタクト（ＵＳＢ２．０用コンタクト）のみで良い構成となる。
【符号の説明】
【０１１１】
１０        ＵＳＢ３．０プラグ
１２        標準シェル
１４        保持部材
１４ｔ        先端
１６        コンタクト
１８        コンタクト
２０，２０ａ，２０ｂ        特殊プラグ
２２，２２ａ，２２ｂ        特殊シェル
２２ｔ        先端
２４ａ，２４ｂ        切り欠き
３０        ＵＳＢ２．０プラグ
３２        先端
４０        プラグ
４２        プラグ側シェル
５０        所定スペース
７０        ＵＳＢ３．０レセプタクル
８０        スペース
１００，１００ｃ，１００ｄ，１００ｅ，１００ｆ        特殊レセプタクル
２００，２００ａ，２００ｂ，２００ｃ，２００ｄ，２００ｆ        主構造体
３００，３００ａ，３００ｂ，３００ｃ，３００ｄ，３００ｅ，３００ｆ        保持部材
３１０，３１０ｂ，３１０ｃ，３１０ｄ，３００ｆ        第１部材（部材）
３１５        挿入部
３２０，３２０ａ，３２０ｂ，３２０ｃ，３２０ｄ，３２０ｅ，３２０ｆ        板状部
３２２，３２２ｄ，３２２ｅ，３２２ｆ        上面
３２４，３２４ｄ，３２４ｅ，３２４ｆ        下面
３３０，３３０ｂ，３３０ｃ，３３０ｄ，３３０ｆ        第２部材（部材）
３３５        受容部
３４０，３４０ａ，３４０ｂ，３４０ｃ        基部
３５０，３５０ａ，３５０ｂ，３５０ｃ        アーム部
３５２，３５２ｄ，３５２ｆ        固定部
３５４，３５４ｄ，３５４ｆ        溝部
３５５ｆ        溝部
３５６        上面
３６０ｂ，３６０ｃ，３６０ｄ，３６０ｆ        コンタクト保持部材（部材）
３７０ｂ，３７０ｃ，３７０ｄ，３７０ｆ        ピン保持部材（部材）
４００，４００ｄ，４００ｅ，４００ｆ        第１コンタクト（コンタクト）
４２０，４２０ｄ，４２０ｅ，４２０ｆ        第１接点部（接点部）
４４０，４４０ｄ，４４０ｅ，４４０ｆ        被固定部
５００，５００ｄ，５００ｅ，５００ｆ        第２コンタクト（コンタクト）
５２０，５２０ｄ，５２０ｅ，５２０ｆ        第２接点部（接点部）
５４０，５４０ｄ，５４０ｅ，５４０ｆ        被固定部
６００，６００ｄ，６００ｆ        検知ピン
６２０，６２０ｄ，６２０ｆ        被固定部
６４０，６４０ｄ，６４０ｆ        支持部
６６０，６６０ｄ，６６０ｆ        接触部
７００        ロケータ
７００ｄ，７００ｆ      ロケータ部
７２０，７２０ｄ，７２０ｆ        位置決め孔
８００，８００ｄ，８００ｅ，８００ｆ        シェル
８２０，８２０ｅ，８２０ｆ        主部
８２５，８２５ｆ        孔
８４０        接触バネ部
８６０        搭載部
９００        プラグ検知ピン
９００ｆ        第１プラグ検知ピン（プラグ検知ピン）
９０５ｆ        第２プラグ検知ピン（プラグ検知ピン）
９２０，９２５ｆ        接触部
９２０ｆ        被押圧部
９４０，９４０ｆ，９４５ｆ        支持部
９６０，９６０ｆ，９６５ｆ        被固定部
９８０ｆ        接触部
【図１】
0005826646.tif 000002
【図２】
0005826646.tif 000003
【図３】
0005826646.tif 000004
【図４】
0005826646.tif 000005
【図５】
0005826646.tif 000006
【図６】
0005826646.tif 000007
【図７】
0005826646.tif 000008
【図８】
0005826646.tif 000009
【図９】
0005826646.tif 000010
【図１０】
0005826646.tif 000011
【図１１】
0005826646.tif 000012
【図１２】
0005826646.tif 000013
【図１３】
0005826646.tif 000014
【図１４】
0005826646.tif 000015
【図１５】
0005826646.tif 000016
【図１６】
0005826646.tif 000017
【図１７】
0005826646.tif 000018
【図１８】
0005826646.tif 000019
【図１９】
0005826646.tif 000020
【図２０】
0005826646.tif 000021
【図２１】
0005826646.tif 000022
【図２２】
0005826646.tif 000023
【図２３】
0005826646.tif 000024
【図２４】
0005826646.tif 000025
【図２５】
0005826646.tif 000026
【図２６】
0005826646.tif 000027
【図２７】
0005826646.tif 000028
【図２８】
0005826646.tif 000029
【図２９】
0005826646.tif 000030
【図３０】
0005826646.tif 000031
【図３１】
0005826646.tif 000032
【図３２】
0005826646.tif 000033
【図３３】
0005826646.tif 000034
【図３４】
0005826646.tif 000035
【図３５】
0005826646.tif 000036
【図３６】
0005826646.tif 000037